(57)【要約】【課題】脚の長さや形状の個人差にかかわらず効果的なマッサージを行う。【解決手段】脚用マッサージ手段を備えた脚載せ台１を具備しているとともに、該脚載せ台１を椅子の座部前方に位置する使用位置と座部下方に位置する収納位置とに切り換える切換手段８５と、使用位置での切換手段８５に対する脚載せ台１の前後位置を調整する前後位置調整手段１０，７０とを備える。脚の長さに応じて脚載せ台１の前後位置を調整することができる。【選択図】図１
2006187657.tif 000002
【特許請求の範囲】
【請求項１】
脚用マッサージ手段を備えた脚載せ台を具備しているとともに、該脚載せ台を椅子の座部前方に位置する使用位置と座部下方に位置する収納位置とに切り換える切換手段と、使用位置での切換手段に対する脚載せ台の前後位置を調整する前後位置調整手段とを備えていることを特徴とする椅子型マッサージ機。
【請求項２】
前後位置調整手段は、脚載せ台を前後にスライド自在に保持するスライド機構であるとともに該スライド機構は脚載せ台のスライド動作に対する抵抗値を可変としているものであることを特徴とする請求項１記載の椅子型マッサージ機。
【請求項３】
スライド機構は脚載せ台にかかる荷重に応じてスライド動作に対する抵抗値を変化させるものであることを特徴とする請求項２記載の椅子型マッサージ機。
【請求項４】
スライド機構は、脚載せ台のスライド移動範囲の少なくとも一部に脚載せ台のスライド動作を規制する規制部を備えていることを特徴とする請求項２または３記載の椅子型マッサージ機。
【請求項５】
規制部は凹凸係合部として形成していることを特徴とする請求項４記載の椅子型マッサージ機。
【請求項６】
脚載せ台の角度の検出手段と該角度に応じて脚載せ台のスライド動作規制を解除する解除部材とを備えていることを特徴とする請求項４または５記載の椅子型マッサージ機。
【請求項７】
使用位置での切換手段に対する脚載せ台の前後方向角度を調整する角度調整手段を備えていることを特徴とする請求項１記載の椅子型マッサージ機。
【請求項８】
使用位置での切換手段に対する脚載せ台の高さを調整する高さ調整手段を備えていることを特徴とする請求項１記載の椅子型マッサージ機。
【請求項９】
脚載せ台は、一対の断面Ｕ字形の脚収納溝を備えて、該脚収納溝の少なくとも両側面に脚用マッサージ手段である膨張収縮する空気袋を配したものであるとともに、一対の脚収納溝の平行度を調整する調整手段を備えていることを特徴とする請求項１〜８のいずれかの項に記載の椅子型マッサージ機。
【請求項１０】
脚載せ台は、一対の断面Ｕ字形の脚収納溝を備えて、該脚収納溝の少なくとも両側面に脚用マッサージ手段である膨張収縮する空気袋を配したものであるとともに、脚収納溝の幅を調整する幅調整手段を備えていることを特徴とする請求項１〜９のいずれかの項に記載の椅子型マッサージ機。
【発明の詳細な説明】
【技術分野】
【０００１】
本発明は、椅子型マッサージ機、殊に脚用マッサージ手段を備えた脚載せ台を具備している椅子型マッサージ機に関するものである。
【背景技術】
【０００２】
脚用マッサージ手段を備えた脚載せ台を具備している椅子型マッサージ機においては、脚載せ台を椅子の座部前方に位置する使用位置と座部下方に位置する収納位置とに切り換える切換手段を備えたものとすることで、脚載せ台を使用しない時に脚載せ台が邪魔になってしまうことを避けることができ、また脚載せ台の使用時には適切な位置に脚載せ台を位置させることができる。
【０００３】
しかし、従来の切換手段は、脚載せ台を使用位置に位置させた時の椅子の座部前端と脚載せ台との間の間隔が固定であったことから、個々の脚の長さに合わせられず、人によっては脚への効果的なマッサージを受けることができなかった。
【０００４】
また、脚の形状も個人差があるが、これに対応することができず、この点においても脚への効果的なマッサージを受けることができなかった。
【発明の開示】
【発明が解決しようとする課題】
【０００５】
本発明は上記の従来の問題点に鑑みて発明したものであって、脚の長さや形状の個人差にかかわらず効果的なマッサージを行うことができる椅子型マッサージ機を提供するにある。
【課題を解決するための手段】
【０００６】
上記課題を解決するために本発明に係る椅子型マッサージ機は、脚用マッサージ手段を備えた脚載せ台を具備しているとともに、該脚載せ台を椅子の座部前方に位置する使用位置と座部下方に位置する収納位置とに切り換える切換手段と、使用位置での切換手段に対する脚載せ台の前後位置を調整する前後位置調整手段とを備えていることに特徴を有している。脚の長さに応じて脚載せ台の前後位置を調整することができるものである。
【０００７】
前後位置調整手段は、脚載せ台を前後にスライド自在に保持するスライド機構であるとともに該スライド機構は脚載せ台のスライド動作に対する抵抗値を可変としているものであると、不要な前後位置調整の動きを抑制することができ、特にスライド機構が脚載せ台にかかる荷重に応じてスライド動作に対する抵抗値を変化させるものであれば、脚を載せている時には脚載せ台が動きにくく、脚を外した時には脚載せ台が動きやすくなるようにすることができる。
【０００８】
スライド機構が、脚載せ台のスライド移動範囲の少なくとも一部に脚載せ台のスライド動作を規制する規制部を備えているものとしてもよく、この場合の規制部は凹凸係合部として形成するのが好ましい。
【０００９】
また、脚載せ台の角度の検出手段と該角度に応じて脚載せ台のスライド動作規制を解除する解除部材とを備えたものとすれば、脚載せ台の収納時に脚載せ台を収納のための前後位置に戻すことを自動で行うことができる。
【００１０】
また、使用位置での切換手段に対する脚載せ台の前後方向角度を調整する角度調整手段を備えたものとしたり、使用位置での切換手段に対する脚載せ台の高さを調整する高さ調整手段を備えたものとすることで、個々の脚の形状に脚載せ台をより確実に合わせることができ、より効果的なマッサージを与えることができる。
【００１１】
また、脚載せ台が一対の断面Ｕ字形の脚収納溝を備えて、該脚収納溝の少なくとも両側面に脚用マッサージ手段である膨張収縮する空気袋を配したものであるとともに、一対の脚収納溝の平行度を調整する調整手段を備えたものである場合、Ｏ脚やＸ脚の人も脚収納部に脚をフィットさせることができて、脚と空気袋との接触面積を広くし、発生力の脚への伝達効率を高めることができる。
【００１２】
脚収納溝の幅を調整する幅調整手段を備えたものとしても、脚と空気袋との接触面積を広くして発生力の脚への伝達効率を高めることができる。
【発明の効果】
【００１３】
本発明の椅子型マッサージ機では、脚の長さに応じて脚載せ台の前後位置を調整することができるものであり、脚の長さの個人差にかかわらず、脚に対して効果的なマッサージを確実に与えることができるものである。
【発明を実施するための最良の形態】
【００１４】
以下、本発明を添付図面に示す実施形態に基いて説明すると、図示例のマッサージ機は、図３に示すように、フレーム８１と座部８０、アームレスト８２、そしてリクライニング自在な背もたれ８３とからなる椅子８の背もたれ８３内に、人体の背面に対するマッサージを行うマッサージ手段（図示せず）を内蔵させたもので、座部８０の先端部には脚載せ台１を配設してある。図１中のシリンダー９は背もたれ８３のリクライニングのためのものである。
【００１５】
上記脚載せ台１は、図４に示すように、パイプで組まれた支持体１４から帯状に形成した空気袋３，３を吊り下げたもので、空気袋３が形成する断面Ｕ字形の脚収納溝３０内に脚（ふくらはぎ部）を納め、この状態で空気袋３に接続した給排気手段４を作動させて空気袋３を膨張収縮させることにより、脚に圧迫マッサージを行う。
【００１６】
ここで、上記脚載せ台１は、複数節のリンク機構であるレイジィトング機構８５を介してフレーム８１に取り付けられている。一方のリンクの一端側が軸８６によってフレーム８０に軸着されているとともに他方のリンクの一端側が回動リンク８７を介してフレーム８０に取りつけられているレイジィトング機構８５は、回動リンク８７の回動に伴って伸縮を行う。
【００１７】
また脚載せ台１の支持体１４は、レイジィトング機構８５に軸着されているとともにレイジィトング機構８５の先端側の軸にリンク８８を介して連結されることで、レイジィトング機構８５の伸縮に伴って、その姿勢を変化させるものであり、レイジィトング機構８５を伸ばした時、脚載せ台１は図１に示すように、座部８０の前方で少し離れたところに少し前下がりになっただけの状態で位置し、レイジィトング機構８５を縮めたときには、図２に示すように、座部８０の下方に縦向きの状態で納まるようにしてある。
【００１８】
また、脚載せ台１は、レイジィトング機構８５に直接連結するのではなく、スライド機構を介して連結してある。すなわち、レイジィトング機構８５とリンク８８の先端にころ７０，７０を取り付けて、脚載せ台１に設けたスライドレール１０に上記ころ７０，７０を転動自在に装着することで、切換手段であるレイジィトング機構８５に対して、脚載せ台１を前後にスライドさせることができるようにしてある。
【００１９】
通常の使用状態では、自重によって脚載せ台１は前方寄りに位置しているが、脚載せ台１を椅子側に引き寄せれば、図1に鎖線で示すように、座部８０の前端側に脚載せ台１を近づけることができ、このために、脚の長さの個人差に対応することができるものとなっている。
【００２０】
図５に他例を示す。これはレイジィトング機構８５とリンク８８の先端間にバー８９を掛け渡すとともに、該バー８９に軸７１によって回動自在に装着した回転板７２に一対のころ７０，７０を設けており、これらころ７０，７０をスライドレール１０に係合させる脚載せ台１は、前後の位置調整だけでなく、軸７１を中心とする回転板７２の回転で、前後方向の角度も調整することができるものとなっている。
【００２１】
また、図６に示すものでは、一対のころ７０，７０を設けた可動板７３と、バー８９との間にばね７４を介在させて、脚載せ台１を使用位置にセットした状態において、ばね７４によって脚載せ台１が上方へ付勢されたものとしてある。この脚載せ台１に脚を載せれば、脚載せ台１は脚の重さに応じて沈んでその高さ位置を変える。バー８９と可動板７３とはたとえば送りねじ機構によって連結して送りねじ機構で脚載せ台１の高さ調整を行えるようにしてもよい。
【００２２】
図７〜図９に別の例を示す。脚載せ台１の下面には前後方向に長いスライドレール１０を一対設けており、またレイジィトング機構８５の先端部の左右連結プレート９０上にはスライダー９１，９１を固定してある。上記スライドレール１０はスライダー９１に被さった状態でスライド自在に係合する。図７中のＭは背もたれ８３に上下移動自在に配したマッサージ手段、Ｃは操作器である。
【００２３】
ここにおいて、スライダー９１の上面とスライドレール１０の内面とが脚載せ台１の前後位置調節に際して摺接するのであるが、この摺接面の摩擦係数は、脚載せ台１に脚を載せていない低荷重時には脚載せ台１を容易にスライドさせることができるものの、使用者が脚を脚載せ台１に載せて上記スライド面にかかる荷重を大きくした時には容易にスライドさせることができなくなる値に設定してある。スライド機構にかかる荷重に応じてスライド抵抗が変化するようにしているわけであり、脚載せ台１の不要な前後位置調整の動きを抑制することができる。なお、脚載せ台１を収納のために縦向きにした時には、上記摺動面の抵抗は殆どゼロとなるために、脚載せ台１はその自重でスライドレール１０の後端の部分にスライダー９１が位置する状態となる。
【００２４】
図１０に示すように、スライドレール１０の前端側の内部に凹部２０を設けて、脚載せ台１を最も座部８０寄りに引き寄せた時にスライダー９１が凹部２０に嵌まり込み、スライド動作が規制されてしまうようにするのも好ましい。この場合、脚載せ台１を少し持ち上げるようにすることで、スライダー９１を凹部２０から抜け出させて脚載せ台１の前後位置調整を行うことができる。また、図示例では、凹部２０との境界を滑らかな傾斜面でつないでいるために、脚載せ台１に脚を載せたままでも脚載せ台１に前方に向けて強い力を加えれば、凹部２０からスライダー９１が抜け出るために、前後位置調整を行うことができる。
【００２５】
図１１に示すように、スライドレール１０とスライダー９１との摺動面に凹凸係合する凹部９２と突部９３とを所定の間隔で設けておき、脚載せ台１を前後に移動させれば、上記間隔で凹部９２と突部９３との係合によるスライド規制が働くようにしておいてもよい。なお、ここでも凹部９２と突部９３の断面形状を円弧状とすることで、強い力を加えれば、凹部９２から突部９３が抜け出て脚載せ台１を前後に動かすことができるようにしてある。
【００２６】
図１３に示すように、スライドレール１０の内面にばね９４による付勢でスライダー９１の側面に接するとともに、スライドレール１０内に配した電磁石９５の付勢でスライダー９１から離れる鉄製のプレート９６を設けて、電気的にスライド規制をかけることができるようにしてもよい。
【００２７】
また、電気的にスライド規制を行う場合、図１３(a)に示す脚載せ台１の使用時と図１３(b)に示す脚載せ台１の収納時とを角度の変化で検出するセンサ９７を設けておき、脚載せ台１を使用状態から収納状態へと移行させる時にはセンサ９７の出力でこれを検知して、上記電磁石９５を付勢することで、スライド規制を解除するようにすれば、脚載せ台１は自重で収納のための前後位置に戻ることになる。
【００２８】
図１４に足載せ台１の他例を示す。ここにおける脚載せ台１は、左右一対のベース１１，１１と、各ベース１１上に設けた支持体１４，１４と、空気袋３とからなるもので、左右一対のベース１１は、前後方向の一端側においてヒンジ（図示せず）で連結されているとともに他端側において、送りねじ１２で連結されている。一方のベース１１は送りねじ１２の右ねじ部にナット１３を螺合させ、他方のベース１１は送りねじ１２の左ねじ部にナット１３を螺合させていることから、送りねじ１２を回すことで、ベース１１，１１の他端側の間隔を変化させることができる。ベース１１，１１の一端側は上述のようにヒンジで連結されているために、上記間隔の変化で両ベース１１，１１の平行度、つまりは吊り下げられた空気袋３によるところの断面Ｕ字形の一対の脚収納部３０，３０の平行度を調整することができるものであり、この平行度の調整により、Ｏ脚の人やＸ脚の人でも、一対の脚収納部３０，３０に適切に脚を納めることができる。
【００２９】
また、各ベース１１上にある支持体１４，１４にしても、ベース１１の場合と同様に、前後方向の一端側をヒンジで連結し、前後方向の他端側を送りねじ１７とナット１８とによって連結することで、他端側における支持体１４，１４の間隔、つまりは脚収納部３０の幅を調整することができるようにしてある。脚の太さや形状の個人差に応じて脚収納部３０の幅を調整することができるようにしているわけである。
【００３０】
なお、ベース１１，１１及び支持体１４，１４はその一端側をヒンジで連結した例を説明したが、一端側においても、送りねじとナットとを用いて連結してもよい。
【００３１】
図１５は足首側のための気室３１とふくらはぎ側のための気室３２とを独立させた空気袋３を示している。
【図面の簡単な説明】
【００３２】
【図１】本発明の実施の形態の一例の側面図である。
【図２】同上の側面図である。
【図３】同上の全体構成を示す斜視図である。
【図４】同上の脚載せ台の正面図である。
【図５】他例の部分側面図である。
【図６】さらに他例の部分側面図である。
【図７】別の例の斜視図である。
【図８】同上の脚載せ台の底面図である。
【図９】同上のスライドレールとスライダーを示しており、(a)は分解斜視図、(b)は断面図である。
【図１０】スライドレールとスライダーの他例を示しており、(a)は分解斜視図、(b)は断面図である。
【図１１】スライドレールとスライダーのさらに他例を示しており、(a)は分解斜視図、(b)は断面図である。
【図１２】スライドレールとスライダーの別の例を示しており、(a)は電磁石オフ時の断面図、(b)は電磁石オン時の断面図である。
【図１３】(a)(b)は同上の部分側面図である。
【図１４】脚載せ台の他例の正面図である。
【図１５】空気袋の展開平面図である。
【符号の説明】
【００３３】
１  脚載せ台
３  空気袋
１０  スライドレール
７０  ころ
８０  座部
８５  レイジィトング機構
【図１】
2006187657.tif 000003
【図２】
2006187657.tif 000004
【図３】
2006187657.tif 000005
【図４】
2006187657.tif 000006
【図５】
2006187657.tif 000007
【図６】
2006187657.tif 000008
【図７】
2006187657.tif 000009
【図８】
2006187657.tif 000010
【図９】
2006187657.tif 000011
【図１０】
2006187657.tif 000012
【図１１】
2006187657.tif 000013
【図１２】
2006187657.tif 000014
【図１３】
2006187657.tif 000015
【図１４】
2006187657.tif 000016
【図１５】
2006187657.tif 000017